(57)【要約】【課題】  １本のベルトに緩みと移動の調節可能な規制手段を設けて巻回させることで、枕に頭部を乗せる頭部姿勢の個人差や頭部形状に合わせて枕面の形状を容易に調節できる枕を提供する。【解決手段】  左右側枠部１Ａ，１Ｂ及びこの左右側枠部を繋ぐ底枠部１Ｄとからなる略略凹型形状の保持枠体１と、上記左右側枠部間に複数回巻き掛けて枕面Ｍを形成した一本のベルト３と、上記ベルトの巻回長さを可変させる長さ調節手段５と、を具備した枕１０である。保持枠体１の底部に受け皿体９を配置することができる。また、側枠部１Ａのベルト３の各巻き回し位置にベルト３の移動を規制する規制手段５０を設けることができる。【選択図】  図１
2008264010.tif 000002
【特許請求の範囲】
【請求項１】
一対の側枠部と底枠部とからなる略凹型形状の保持枠体と、上記保持枠体に一端が固定され両側枠部に螺旋状に複数回巻回され他端側が保持枠体に任意の位置で固定されて保持枠体上面に頭部の形状に対応した枕面を形成する一本のベルトと、を具備したことを特徴とする枕。
【請求項２】
保持枠体の底部に受け皿体を配置したことを特徴とする請求項１記載の枕。
【請求項３】
側枠部のベルトの各巻き回し位置にベルトの移動を規制する規制手段が設けられていることを特徴とする請求項１又は２記載の枕。
【発明の詳細な説明】
【技術分野】
【０００１】
本発明は枕に係り、特に、頭部形状に合わせて枕面の形状を容易に調節できるようにしたものに関する。
【背景技術】
【０００２】
例えば、寝付きを良くすること、快眠が長く維持できることの二面性を持った安眠枕が提供されている。この枕は、凹状の保持枠体の両側面にゴム入り紐の取付枠体を設け、この取付枠体の上端に架設したゴム入り紐に板状ゴム磁石を装着し、全体をビニルネットで覆ったものである。これにより、抜群の通気性と安定した保持性で後頭部を空冷し、快眠の状態が維持できる。また、ゴム入り紐の張力を加減して枕の高さを多段に調節できるので、自分に合った高さと枕の弾力性を選択することにより寝違いが起き難くなるものである（例えば、特許文献１参照。）。
【０００３】
また、誰でも簡単に自分の頭の形状に合うように、自分の手で高さや、撓みや、硬さを調整できる枕が提供されている。この枕は、台枠と、その左右に立ち上げた一対の脚フレームと、両フレームの間に前後方向に水平に並べて架橋した複数本のベルトとからなり、且つ前記ベルトはその高さと長さを可変させられる可変手段を備えたものである。これにより、自分の好みに合わせた高さや撓みや硬さを加減でき、グッスリ眠ることができるものである（例えば、特許文献２参照。）。
【０００４】
【特許文献１】特開平１０−４３０２２号公報
【特許文献２】特開２００５−６６２５４号公報
【発明の開示】
【発明が解決しようとする課題】
【０００５】
上記従来の構成によると次のような問題あった。
まず、上記安眠枕は、ゴム入り紐の張力を加減して枕の高さを多段に調節できるので、自分に合った高さを選択することにより寝違いが起き難くなるというメリットを有する。しかし、枕の高さ調節は、各ゴム入り紐の一本一本を独立して行い、三段等の段階式になるから、調節操作に手間取るとともに、個人差のある後頭部の形状に容易にフィットさせられず、実用的でなかった。即ち、枕で大切なのは首の位置と頭部の位置関係である。例えば首の位置に対して頭部が高いと喉の気道が狭められていびきの原因となる。しかし、枕に頭部を乗せる姿勢には個人差（頭部を深くして寝る人、頭部を浅く寝る人）があり、これに対応でき難いという問題があった。
【０００６】
また、上記枕は、複数本のベルトからなり、このベルトの高さと長さ調節を可変手段で一本一本を独立して行うものであるから、調節操作に手間取るとともに、個人差のある後頭部の立体形状に容易にフィットさせられず、実用的でなかった。
【０００７】
本発明はこのような点に基づいてなされたものでその目的とするところは、枕に頭部を載せる頭部姿勢の個人差や頭部形状に合わせて枕面の形状を容易に調節できる枕を提供することにある。
【課題を解決するための手段】
【０００８】
上記目的を達成するべく本願発明の請求項１による枕は、一対の側枠部と底枠部とからなる略凹型形状の保持枠体と、上記保持枠体に一端が固定され両側枠部に螺旋状に複数回巻回され他端側が保持枠体に任意の位置で固定されて保持枠体上面に頭部の形状に対応した枕面を形成する一本のベルトと、を具備したことを特徴とするものである。
【０００９】
また、請求項２による枕は、請求項１記載の枕において、保持枠体の底部に受け皿体を配置したことを特徴とするものである。
【００１０】
また、請求項３による枕は、請求項１又は２記載の枕において、側枠部のベルトの各巻き回し位置にベルトの移動を規制する規制手段が設けられていることを特徴とするものである。
【発明の効果】
【００１１】
本願発明による枕は、枕面に後頭部を載せると、個人差のある頭部の形状に対応して適度の緩みで巻き掛けたベルトの各面が同じ張力で馴染んで迅速にフィットさせられる。
また、ベルトの枕面により通気性にも優れ、枕面に接している後頭部に汗をかかず夏涼しく、冬は枕カバーを被せることで暖かい快眠を約束してくれる効果がある。
また、一端を固着させ、他端側を任意の位置で固定可能としたから、枕面の高さを自在に調節できる。
また、上記保持枠体の底部に受け皿体を配置した場合には、睡眠中に頭部から脱落する髪・フケ・その他を受け止めて回収でき、敷布団を衛生的に使用できる。
また、側枠部にベルトの移動を規制する規制手段を設けると、枕面の各所の高さを自由に個別に設定できるから、枕面を任意の形状に設定でき、例えばいびきを防止する効果を発揮することができる。
【発明を実施するための最良の形態】
【００１２】
以下、図１乃至図５を参照して本発明の第１の実施の形態を説明する。図１と図２は枕の展開斜視図、図３は長さ規制手段の斜視図、図４は枕の使用状態の断面図、図５は枕の使用状態の断面図である。
【００１３】
本実施の形態による枕１０の全体構成は図１に示すようなものである。まず、保持枠体１があり、この保持枠体１は、一対の側枠部１Ａ，１Ｂを形成する４本の枠棒ａ，ａ´，ｂ，ｂ´と、上記一対の側枠部１Ａ，１Ｂを所定の寸法間隔Ｌで保持する底枠部１Ｃの枠棒ｃ，ｃ´とからなり、全体として略凹型形状の外観をなしている。尚、一対の側枠部１Ａ，１Ｂ及び底枠部１Ｃの背面側（図１では手前側）に補強枠部１Ｄの枠棒ｄを形成している。但し、強度があればこの補強枠部１Ｄを省略しても良い。上記保持枠体１の四隅の下端には脚部Ｆ１〜Ｆ４が設けられている。
【００１４】
上記保持枠体１の一対の側枠部１Ａ，１Ｂを構成する４本の枠棒ａ，ａ´，ｂ，ｂ´間には、一本の帯状のベルト３を適度の緩み量のもとに位置をずらして複数回巻き掛けることで枕面Ｍが形成されている。上記ベルト３は、綿又は絹で織り込んだ帯材や合成樹脂で織り込んだ帯材等が適宜に使用される。上記ベルト３は、その一端３Ａを枠棒ａ´の片隅に付設したクランパーＣＫに固着されている。また、上記ベルトの他端側３Ｂは、枕面Ｍを構成するベルトの長さを調節可能に拘束する長さ調節手段５により任意の位置で固定される。これにより、枕面Ｍは通気性があり、ベルト３の緩み量を適度に加減して高さが調節できるように形成される。上記枕面Ｍの左右隅には、ベルト３の長手方向と直交する方向に位置拘束帯８が係合されている。これにより、ベルト３が保持枠体１から外れないように工夫されている。
【００１５】
また、位置拘束帯８の各隙間を縫合すれば各隙間が一定に保持されるようにすることもできる。また、図２に示すように、枠棒ａ，ａ´の外周面に等間隔の凸部Ｇを設ければ、位置拘束帯８が省略できる。上記保持枠体１の底部を形成するベルト３の上面には、睡眠中に使用者Ｈの後頭部Ｈ１から脱落する髪・フケ・その他を受け止め回収する受け皿体９が配置されている。勿論、ベルト３の下面側となる敷布団上に配置してもよい。尚、枕面Ｍの上面には必要に応じて枕カバー１１を取り付けても良い。
【００１６】
上記長さ調節手段５は各種の型式のものが採用できる。その具体例を図３に示す。先ず、図３（ａ）に示すものは、着脱可能な面状ファスナーとしたもので、枠棒ａに取付けた固定係止部５Ａと、ベルト３の先端に取付けた可変係止部５Ｂとからなる。面状ファスナーは固定係止部５Ａと可変係止部５Ｂの各接合面に、多数の雄・雌の係止片を植着している。また、図３（ｂ）に示す長さ調節手段５は、着脱可能な係合具としたもので、枠棒ａ上に取付けた複列の突片を設けた固定掛止部５Ｃと、ベルト３の先端に複数の孔を設けた可変掛止部５Ｄとからなる。
【００１７】
また、図３（ｃ）に示す長さ調節手段５は、枠棒ａ上に取付けた掛止具５Ｅと、コ字型断面の固定枠５Ｆと、これにピンＰで回動可能に支持した可動枠５Ｇと、この可動枠５Ｇの基部にＬ字型に折り曲げた掛止部５Ｈと、からなる。上記ベルト３の先端側を固定枠５Ｆと可動枠５Ｇとの隙間に通し、可動枠５Ｇの自由端をベルト３側へ倒したときに、鋸歯状の掛止部５Ｈがベルト３に食い込んで固着する。以上の他、適宜公知の長さ調節手段が採用できる。何れも、ベルト３の長さ・緩みの調節が迅速・簡潔に行える。
【００１８】
以上の構成を基にその作用を説明する。まず、図１に示すように、保持枠体１に一本のベルト３を適度の緩み量（頭を載せた時の適度な可動範囲量）を持たせて複数回巻き掛けることで枕面Ｍが形成される。このベルト３の緩み量は、その一方端が固着され、他方端に配置された長さ調節手段５により適度の長さに調節される。すなわち、図４と図５に示すように、一本のベルト３が作り出す枕面Ｍは、個人差のある後頭部Ｈ１と首部Ｈ２の立体形状に倣って均等に馴染み、後頭部Ｈ１と首部Ｈ２を支持し、迅速・適切にフィットされる。この時、ベルトの緩みが張られて枕面Ｍの高さが定められる。また、寝返りにより枕面Ｍへ載せられた後頭部の立体形状が変化すれば、ベルトの緩み量による可動範囲内で速やかにベルトの張りが新たな後頭部の立体形状に均等に馴染んで迅速にフィットされる。
【００１９】
しかして、枕面Ｍは、ベルトの長さ調節手段５により緩み量が最適値に調節される。これにより、頭部の適度な高さ、保持の硬さが得られ，また、通気性が有って蒸れが防止され、局所の疲労が防止される。従って、長い時間を伴う睡眠時において、後頭部Ｈ１や首部Ｈ２に疲労感を与えず快眠が得られる。
【００２０】
上記保持枠体１は４本の枠棒ａ，ａ´，ｂ，ｂ´で形成され、枕１０がこの４本の枠棒ａ，ａ´，ｂ，ｂ´に一本のベルト３を巻き掛けて形成されているから、軽量化されている。更に、上記保持枠体１の下に受け皿体９を配置しておけば、睡眠中に頭部から脱落する髪・フケ・その他を受け止めて回収することができ、敷布団を汚すことがなくなって敷布団を長期にわたり衛生的に使用することができる。勿論、上記受け皿体９を省略しての使用も可能であり、上記受け皿体９を省略したときは、枕カバー１１を枕面Ｍに被覆させれば、睡眠中に脱落する髪・フケ・その他が枕カバー１１に受け止められるので、これを交換したり、洗濯したりすれば、枕１１を衛生的に使用することができる。尚、上記枕カバー１１は、夏期に取り外して枕面Ｍの通気性を高め、冬期には頭部の保温効果を高めるために枕面Ｍに被せて使用される。勿論、枕カバー１１を被せた状態でも、頭部の形状に合わせて設定された枕面Ｍの形状は維持することができる。
【００２１】
以上本実施の形態によると次のような効果を奏することかできる。
まず、保持枠体１に巻き掛けた１本のベルトは、長さ調節手段５で適度な緩みと張りとに簡便に調節できる。これで、頭部の適度な高さ、蒸れ防止、局所疲労防止、等の機能が発揮できる。そして、利用者Ｈの後頭部Ｈ１や首部Ｈ２の立体形状に個人差による違いが有っても、後頭部Ｈ１の立体形状にベルトがこの可動範囲内で倣って張られ、ベルト全体が迅速・均等に調節されて頭部の形状にフィットでき、快眠が確保できる。
【００２２】
また、上記保持枠体の４本の枠棒ａ，ａ´，ｂ，ｂ´にベルト３を巻き掛けることで、枕が軽量化される。更に、上記保持枠体１の底面に受け皿体９を配置すれば、睡眠中に脱落する髪・フケ・その他を受け止めて回収でき、何時までも敷布団が衛生的に使用できる。上記長さ調節手段５は、一箇所でベルトの長さ・張りの調節ができるので、枕面の高さの調節も迅速・簡潔にできる。
【００２３】
次に、図６乃至図１１を参照して本発明の第２実施の形態を説明する。本実施の形態の枕２０は、側枠部１Ａ，１Ｂの一方にベルト３の移動を規制する規制手段５０を設けたものであり、規制手段５０は側枠部１Ａの表面に沿わせたベルト３を外側から挟圧して拘束するものである。すなわち、図７〜図１０に示すように、ベルト３を巻き掛けた側枠部１Ａの両側に一対の支持板５１，５２を延長形成させ、この支持板５１，５２間に架設した支持ピン５４に略半月状のクランプ片５５が回動自在に支持されている。
【００２４】
図８に示すように、コイルバネ５６により回転半径を放物線状に大きくしたクランプ面５７がベルト３の外面を押さえつけ、側枠部１Ａの表面との間に通したベルト３を挟圧して拘束するものである。尚、クランプ面５７には、ベルト３に食い込むように歯型状の凹凸が設けられている。また、図９に示すように、上記クランプ片５５の先端を支持板５１に付設したピン５８に掛け止めるようにして、クランプ面５７がベルト３から離反されて固定されるようにしてベルト３を自由移動させるようにしたものである。また、図１０に示すように、クランプ面５７の表面に、樹脂製のカバー体５９を付設させて、ベルト３がクランプ面５７に食い込まず摺動するようにして、ベルト３を自由移動させるようにしたものである。尚、規制手段５０はベルト３のずれ止めの機能も発揮することができる。
【００２５】
以上の構成を基にその作用を説明する。まず、利用者Ｈの後頭部Ｈ１及び首部Ｈ２の立体形状に個人差による違い、即ち、枕に頭部を乗せる姿勢の個人差（頭部を深くして寝る人、頭部を浅く寝る人）があると、図１１に示すように、後頭部Ｈ１の高さを低く首部Ｈ２を高くすべく、ベルト３の各巻き回された各位置に配置した規制手段５０により、ベルト３の長さを調節して頭の形状・輪郭に合うように緩みを生じさせた後に拘束する。そして、首部Ｈ２のベルト位置を高く設定する。しかして、上記枕面Ｍの設定により、後頭部Ｈ１の立体形状にベルト３がこの可動範囲内で倣って張られ、首部Ｈ２のベルト位置を高く設定されることにより、喉の気道Ｋが広げられた状態での睡眠が行え、肺への空気の流れが正常になり、いびきが防止される。
【００２６】
以上本実施の形態によると次のような効果を奏することができる。
まず、側枠部にベルト３の移動を規制する規制手段５０を設けたので、枕面Ｍの各所の高さを自由に個別に調節できるから、枕面Ｍを任意の形状に設定することができ、これにより、例えば首部Ｈ２の位置を高くし後頭部Ｈ１を下げることによって、気道Ｋを広げた状態に設定することで、肺への空気の流れが正常化され、いびきが防止できる。その他の作用・効果は、上記第１の実施の形態と同様のものが得られる。
【００２７】
尚、本発明は前記第１、第２の実施の形態に限定されるものではない。
例えば、図１２に示す本発明の第３実施の形態となる枕３０は、保持枠体１における４本の枠棒ａ，ａ´，ｂ，ｂ´の内側に設けた複数の吊具４０，４２の保持孔ｈ１，ｈ２に、一本のベルト３を通し、複数巻き掛けて枕面Ｍを形成したものである。
【００２８】
上記枕３０においても、第１の実施の形態及び第２の実施の形態と同様な作用・効果が得られる。特に、上記枕３０によれば、枕面Ｍが保持枠体１内に設けられる形態となり、意匠的にも、また、使い勝手も優れている。
【００２９】
更に、図１３に示す本発明の第４実施の形態となる枕３５は、保持枠体１を板状に形成し、その側面部１Ａ，１Ｂの上下位置に、スリット状の保持孔ｈ３，ｈ４を複数個一列に並べて開けたものである。上記保持孔ｈ３，ｈ４に、１本の帯状ベルト３が挿通され、順次片側から左右・上下の保持孔ｈ３，ｈ４間に巻き掛けられ、一端がクランパーＣＫ（図示省略）に固着され、他端が長さ調節手段５により固着されている。その他の構成は、上記第１の実施の形態と同一である。
【００３０】
本実施の形態によると、上記第１の実施の形態の枕１０及び第２の実施の形態の枕２０と同一の効果が得られるとともに、保持枠体１が凹状断面とした箱型に形成されているから、剛性が高く、堅牢で耐久性の高い枕が提供できる。
【産業上の利用可能性】
【００３１】
本発明は、その対象物が睡眠を目的とした枕の使用例で説明したが、様々な用途の枕やクッション、自動車用シートのヘッドレスト等への適用が可能である。
【図面の簡単な説明】
【００３２】
【図１】本発明の第１の実施の形態を示し、枕の展開斜視図である。
【図２】本発明の第１の実施の形態を示し、枕の展開斜視図である。
【図３】本発明の第１の実施の形態を示し、長さ調節手段の斜視図である。
【図４】本発明の第１の実施の形態を示し、枕の使用状態の断面図である。
【図５】本発明の第１の実施の形態を示し、枕の使用状態の断面図である。
【図６】本発明の第２の実施の形態を示し、枕の斜視図である。
【図７】本発明の第２の実施の形態を示し、規制手段の斜視図である。
【図８】本発明の第２の実施の形態を示し、規制手段の作用断面図である。
【図９】本発明の第２の実施の形態を示し、規制手段の作用断面図である。
【図１０】本発明の第２の実施の形態を示し、規制手段の作用断面図である。
【図１１】本発明の第２の実施の形態を示し、枕の使用状態の断面図である。
【図１２】本発明の第３の実施の形態を示し、枕の一部拡大斜視図である。
【図１３】本発明の第４の実施の形態を示し、枕の一部拡大斜視図である。
【符号の説明】
【００３３】
１，１´                  保持枠体
１Ａ，１Ｂ                側枠部
１Ｃ，１Ｄ                底枠部・補強枠部
１Ａ´，１Ｂ´            側面部
１Ｃ´                    底面部
１Ｄ´                    補強板
３                        ベルト
３Ａ                      一方端
３Ｂ                      他方端
５                        長さ調節手段
５Ａ                      固定係止部
５Ｂ                      可変係止部
５Ｃ                      固定掛止部
５Ｄ                      可変掛止部
５Ｅ                      固定具
５Ｆ                      固定枠
５Ｇ                      可動枠
５Ｈ                      掛止部
８                        位置拘束帯
９                        受け皿体
１０，２０，３０，３５    枕
１１                      枕カバー
４０                      吊具
４２                      吊具
５０                      規制手段
５１                      支持板
５２                      支持板
５４                      支持ピン
５５                      クランプ片
５６                      コイルバネ
５７                      クランプ面
５８                      ピン
５９                      カバー体
ａ，ａ´，ｂ，ｂ´        枠棒
ＣＫ                      クランパー
Ｇ                        凸部
Ｈ                        使用者
Ｈ１                      後頭部
Ｈ２                      首部
ｈ１，ｈ２                保持孔
ｈ３，ｈ４                保持孔
Ｍ                        枕面
Ｐ                        ピン
【図１】
2008264010.tif 000003
【図２】
2008264010.tif 000004
【図３】
2008264010.tif 000005
【図４】
2008264010.tif 000006
【図５】
2008264010.tif 000007
【図６】
2008264010.tif 000008
【図７】
2008264010.tif 000009
【図８】
2008264010.tif 000010
【図９】
2008264010.tif 000011
【図１０】
2008264010.tif 000012
【図１１】
2008264010.tif 000013
【図１２】
2008264010.tif 000014
【図１３】
2008264010.tif 000015